【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
記録材に画像を記録し出力する画像形成部と、前記画像形成部を覆う筐体に設けられ、移動することにより前記画像形成部の内部を開放可能な開閉部材と、画像を光学的に読み取り電気信号とするための画像読み取り部と、を有する画像形成装置において、
前記画像読み取り部は、前記画像形成部から排出された記録材が積載される記録材排出部を隔てて前記画像形成部の上方に配置され、前記画像形成部に対し閉じた第１の位置と開いた第２の位置との間で移動可能に前記画像形成部に取り付けられており、前記開閉部材は、前記画像読み取り部の前記第１の位置から前記第２の位置への移動動作に連動して前記画像形成部の内部を開放することを特徴とする画像形成装置。
【請求項２】
前記画像形成部は、前記画像形成部、又は前記画像形成部及び前記画像読み取り部の動作可能状態に対応する第１の状態と、動作不可能状態に対応する第２の状態とで状態変化が成される解除対象を備え、前記開閉部材は、前記画像読み取り部を前記第１の位置から前記第２の位置へと移動させる動作に連動して前記解除対象を前記第１の状態から前記第２の状態へと状態変化させる切り替え手段を備えることを特徴とする請求項１記載の画像形成装置。
【請求項３】
前記解除対象は、前記画像形成部、又は前記画像形成部及び前記画像読み取り部の制御部を動作状態とする前記第１の状態と、停止状態とする前記第２の状態とに前記状態変化が成される停止装置であり、前記画像読み取り部を前記第１の位置から所定量移動させると、前記画像形成部、又は前記画像形成部及び前記画像読み取り部の動作が停止することを特徴とする請求項２記載の画像形成装置。
【請求項４】
前記解除対象は、前記画像形成部が備える露光手段を光照射可能とする前記第１の状態と、光照射不可能とする前記第２の状態とに前記状態変化が成される遮断手段であり、前記画像読み取り部を前記第１の位置から所定量移動させると、前記露光手段が光照射不可能となることを特徴とする請求項２記載の画像形成装置。
【請求項５】
前記解除対象は、前記画像形成部が備えるトナー像を記録材に定着させる定着手段に対して、記録材に所定の圧力を加えさせる前記第１の状態と、前記圧力を開放させる前記第２の状態とに前記状態変化が成される定着圧解除手段であり、前記画像読み取り部を前記第１の位置から所定量移動させると、前記定着手段の前記圧力が開放されることを特徴とする請求項２記載の画像形成装置。
【請求項６】
前記解除対象は、前記画像形成部に対して着脱可能なカートリッジの被駆動体に駆動を伝達する前記画像形成部が備える伝達手段の駆動伝達を可能とする前記第１の状態と、駆動伝達を解除する前記第２の状態とに前記状態変化が成される駆動伝達解除手段であり、前記画像読み取り部を前記第１の位置から所定量移動させると、前記切り替え手段により、前記駆動伝達手段の駆動伝達が解除されることを特徴とする請求項２記載の画像形成装置。
【請求項７】
前記解除対象として、（ｉ）前記画像形成部、又は前記画像形成部及び前記画像読み取り部の制御部を動作状態とする前記第１の状態と、停止状態とする前記第２の状態とに前記状態変化が成される停止装置、（ｉｉ）前記画像形成部が備える露光手段を光照射可能とする前記第１の状態と、光照射不可能とする前記第２の状態とに前記状態変化が成される遮断手段、（ｉｉｉ）前記画像形成部が備えるトナー像を記録材に定着させる定着手段に対して、記録材に所定の圧力を加えさせる前記第１の状態と、前記圧力を開放させる前記第２の状態とに前記状態変化が成される定着圧解除手段、（ｉｖ）前記画像形成部に対して着脱可能なカートリッジの被駆動体に駆動を伝達する前記画像形成部が備える伝達手段の駆動伝達を可能とする前記第１の状態と、駆動伝達を解除する前記第２の状態とに前記状態変化が成される駆動伝達解除手段のうち２つ以上を有し、前記画像読み取り部を前記第１の位置から所定量移動させると、前記（ｉ）乃至（ｉｖ）の前記解除対象のそれぞれに対応して（ａ）前記画像形成部、又は前記画像形成部及び前記画像読み取り部の動作が停止し、（ｂ）前記露光手段が光照射不可能となり、（ｃ）前記定着手段の前記圧力が開放され、（ｄ）前記駆動伝達手段の駆動伝達が解除されることを特徴とする請求項２記載の画像形成装置。
【請求項８】
前記開閉部材は、前記画像読み取り部の前記第２の位置から前記第１の位置への移動動作に連動して閉じることを特徴とする請求項１乃至７いずれか一項に記載の画像形成装置。
【請求項９】
前記画像形成部と前記画像読み取り部とを直列に連結する少なくとも２つのリンク部材を有することを特徴とする請求項１乃至８いずれか一項に記載の画像形成装置。
【請求項１０】
前記画像読み取り部を前記第１の位置において固定する固定手段と、前記固定手段による前記画像読み取り部の固定を解除するための解除手段と、前記画像形成部と前記画像読み取り部との間に設けられる、前記画像読み取り部を前記第１の位置から前記第２の位置に向かう移動方向に付勢する付勢手段と、を有し、前記解除手段により前記固定手段の固定を解除することにより、前記画像読み取り部が前記付勢手段により付勢されて前記第１の位置から前記第２の位置に向かう方向に所定量まで移動することを特徴とする請求項１乃至９いずれか一項に記載の画像形成装置。
【手続補正２】
【補正対象書類名】明細書
【補正対象項目名】０００１
【補正方法】変更
【補正の内容】
【０００１】
本発明は、画像形成部上部に画像読み取り部を具備する画像形成装置に関するものであり、特に、画像形成部と画像読み取り部との間に記録材排出部を配置した画像形成装置に関するものである。
【手続補正３】
【補正対象書類名】明細書
【補正対象項目名】０００４
【補正方法】変更
【補正の内容】
【０００４】
例えば、画像読み取り部を画像形成部の上部に備え、画像形成部と画像読み取り部との間に記録材排出部を配置した小型・中型の複合機において、画像形成部のトラブル処理や、内部の清掃、カートリッジなどの消耗部品（交換部品）の交換などのメンテナンスを行う際に、画像形成部の内部を開放するための構成が必要となる。
【手続補正４】
【補正対象書類名】明細書
【補正対象項目名】００１１
【補正方法】変更
【補正の内容】
【００１１】
上記目的は本発明に係る画像形成装置にて達成される。要約すれば、本発明は、記録材に画像を記録し出力する画像形成部と、前記画像形成部を覆う筐体に設けられ、移動することにより前記画像形成部の内部を開放可能な開閉部材と、画像を光学的に読み取り電気信号とするための画像読み取り部と、を有する画像形成装置において、前記画像読み取り部は、前記画像形成部から排出された記録材が積載される記録材排出部を隔てて前記画像形成部の上方に配置され、前記画像形成部に対し閉じた第１の位置と開いた第２の位置との間で移動可能に前記画像形成部に取り付けられており、前記開閉部材は、前記画像読み取り部の前記第１の位置から前記第２の位置への移動動作に連動して前記画像形成部の内部を開放することを特徴とする画像形成装置である。
【手続補正５】
【補正対象書類名】明細書
【補正対象項目名】００１２
【補正方法】変更
【補正の内容】
【００１２】
本発明の一実施態様によると、前記画像形成部は、前記画像形成部、又は前記画像形成部及び前記画像読み取り部の動作可能状態に対応する第１の状態と、動作不可能状態に対応する第２の状態とで状態変化が成される解除対象を備え、前記開閉部材は、前記画像読み取り部を前記第１の位置から前記第２の位置へと移動させる動作に連動して前記解除対象を前記第１の状態から前記第２の状態へと状態変化させる切り替え手段を備える。
【手続補正６】
【補正対象書類名】明細書
【補正対象項目名】００１３
【補正方法】変更
【補正の内容】
【００１３】
前記解除対象は、前記画像形成部、又は前記画像形成部及び前記画像読み取り部の制御部を動作状態とする前記第１の状態と、停止状態とする前記第２の状態とに前記状態変化が成される停止装置であり、前記画像読み取り部を前記第１の位置から所定量移動させると、前記画像形成部、又は前記画像形成部及び前記画像読み取り部の動作が停止する。他の実施態様によると、前記解除対象は、前記画像形成部が備える露光手段を光照射可能とする前記第１の状態と、光照射不可能とする前記第２の状態とに前記状態変化が成される遮断手段であり、前記画像読み取り部を前記第１の位置から所定量移動させると、前記露光手段が光照射不可能となる。他の実施態様によると、前記解除対象は、前記画像形成部が備えるトナー像を記録材に定着させる定着手段に対して、記録材に所定の圧力を加えさせる前記第１の状態と、前記圧力を開放させる前記第２の状態とに前記状態変化が成される定着圧解除手段であり、前記画像読み取り部を前記第１の位置から所定量移動させると、前記定着手段の前記圧力が開放される。更に他の実施態様によると、前記解除対象は、前記画像形成部に対して着脱可能なカートリッジの被駆動体に駆動を伝達する前記画像形成部が備える伝達手段の駆動伝達を可能とする前記第１の状態と、駆動伝達を解除する前記第２の状態とに前記状態変化が成される駆動伝達解除手段であり、前記画像読み取り部を前記第１の位置から所定量移動させると、前記切り替え手段により、前記駆動伝達手段の駆動伝達が解除される。本発明において、画像形成部は、上記各解除対象の２つ以上を有していてもよい。
【手続補正７】
【補正対象書類名】明細書
【補正対象項目名】００１４
【補正方法】変更
【補正の内容】
【００１４】
本発明の一実施態様によると、前記開閉部材は、前記画像読み取り部の前記第２の位置から前記第１の位置への移動動作に連動して閉じる。又、一実施態様では、前記画像形成部と前記画像読み取り部とを直列に連結する少なくとも２つのリンク部材を有する。
【手続補正８】
【補正対象書類名】明細書
【補正対象項目名】００１５
【補正方法】変更
【補正の内容】
【００１５】
更に、本発明の一実施態様によると、画像形成装置は、前記画像読み取り部を前記第１の位置において固定する固定手段と、前記固定手段による前記画像読み取り部の固定を解除するための解除手段と、前記画像形成部と前記画像読み取り部との間に設けられる、前記画像読み取り部を前記第１の位置から前記第２の位置に向かう移動方向に付勢する付勢手段と、を有し、前記解除手段により前記固定手段の固定を解除することにより、前記画像読み取り部が前記付勢手段により付勢されて前記第１の位置から前記第２の位置に向かう方向に所定量まで移動する。
【手続補正９】
【補正対象書類名】明細書
【補正対象項目名】００３３
【補正方法】変更
【補正の内容】
【００３３】
ラッチ８は、ラッチバネ９によりラッチ回動中心８ｂを中心として常にフック３ｂを引っ掛ける方向（本実施例では、画像形成装置１の前方に向けて）に付勢されている。フック３ｂとラッチ８とのロックを解除するための解除手段としてのラッチ開放ボタン１０（図１）と、ラッチ８とは、同軸上で連動するように保持されており、ラッチ開放ボタン１０を押すことで、スキャナ部３のフック３ｂに掛かっていたラッチ８が外れる。
【手続補正１０】
【補正対象書類名】明細書
【補正対象項目名】００４６
【補正方法】変更
【補正の内容】
【００４６】
プロセスカートリッジ１０１の交換作業、或いはジャム処理などでプリンタ部２の内部を開放したい場合は、ラッチ開放ボタン１０を押すことにより、これと連動しているラッチ８が図３中反時計方向に回動し、フック３ｂがラッチ８より解除される。すると、プリンタ部２の枠体７の上面７ｃとスキャナ部３の底面３ｆのバネ突起部３ｅとの間に設けられたポップアップバネ１６により、バネ突起部３ｅが押圧され、スキャナ部３は、プリンタ部２に対して所定角度α１まで図３中反時計方向に回動し、その状態で保持される（図４）。
【手続補正１１】
【補正対象書類名】明細書
【補正対象項目名】００５６
【補正方法】変更
【補正の内容】
【００５６】
又、ラッチ８は、ラッチバネ９により常に図３〜５中時計方向に付勢力が働いているが、スキャナ部３が完全に閉じる直前、フック３ｂが上方向から入り込んでくることにより、ラッチバネ９の付勢力に抗して同図中反時計方向に一瞬回動し、再びラッチバネ９によって時計方向に回動する。このため、フック３ｂの凹部３ｂ１がラッチ８の爪８ａに引っ掛かり、スキャナ部３の回動中心Ａとは反対側の先端部３Ａは固定される。
【手続補正１２】
【補正対象書類名】図面
【補正対象項目名】図３
【補正方法】変更
【補正の内容】
【図３】
2005189551.tif 000001
【手続補正１３】
【補正対象書類名】図面
【補正対象項目名】図４
【補正方法】変更
【補正の内容】
【図４】
2005189551.tif 000002
【手続補正１４】
【補正対象書類名】図面
【補正対象項目名】図５
【補正方法】変更
【補正の内容】
【図５】
2005189551.tif 000003